(57)【要約】【課題】  構造が簡単、小型で安価に得られ、ワイヤハーネスを支持体に確実に固定することができるワイヤハーネス組立用治具を提供する。【解決手段】  分岐部Ｗ３を形成する分岐用具２１と、分岐部Ｗ３に取り付けられるクリップ２３で構成され、分岐用具２１は、基台２７に複数本の分岐形成用ガイド棒２９〜３１が突設され、クリップ２３は、クリップ本体３５と、これに突設された係止部３８と、巻付バンド３９とを備え、分岐用具２１の基台２７上に形成される幹線経路３２の一方の側縁部３２ａ付近に２本の分岐用ガイド棒２９が幹線経路３２に沿って突設され、該クリップ２３のクリップ本体３５に、分岐用ガイド棒２９を挿入する２個のガイド棒挿入穴が形成され、分岐用ガイド棒２９をクリップ２３のガイド棒挿入穴に挿入して、クリップ２３が分岐用具２１の基台２７に取り外し可能に配設される。【選択図】        図１
2005276738.tif 000002
【特許請求の範囲】
【請求項１】
ワイヤハーネスを構成する電線群を布線して幹線と支線に分岐させて分岐部を形成する分岐用具と、該分岐部に取り付けられるクリップで構成され、分岐用具は、基台に分岐形成用ガイド棒が突設され、クリップはクリップ本体と、これに突設された係止部と、巻付バンドとを備え、クリップが分岐用具の基台に取り外し可能に配設されたワイヤハーネス組立用治具において、前記分岐用具の基台上に形成される幹線が布線される幹線経路の一方の側縁部付近に、少なくとも２本の分岐用ガイド棒が幹線経路の長手方向に、且つ、その分岐用ガイド棒間に分岐部の中心が来るように所定間隔をおいて突設され、クリップがその分岐用ガイド棒間に係止部が来るようにその分岐用ガイド棒の近傍における分岐用具の基台に取り外し可能に配設されることを特徴とするワイヤハーネス組立用治具。
【請求項２】
前記クリップのクリップ本体に、分岐用具における基台の前記幹線経路側の分岐用ガイド棒を挿入する複数個のガイド棒挿入穴が該挿入穴間に係止部が来るように形成され、分岐用具の幹線経路側の分岐用ガイド棒をクリップのガイド棒挿入穴に挿入することにより、クリップが分岐用具の基台に取り外し可能に配設されることを特徴とする請求項１記載のワイヤハーネス組立用治具。
【請求項３】
前記分岐用具の基台に突設される前記幹線経路側の分岐用ガイド棒の中間位置に、クリップの係止部を挿脱自在に収容する凹部が設けられることを特徴とする請求項１又は２記載のワイヤハーネス組立用治具。
【請求項４】
前記クリップの係止部の断面形状が略長方形状であり、これを収容する分岐用具の凹部の形状が長穴形状になっていることを特徴とする請求項３記載のワイヤハーネス組立用治具。
【請求項５】
前記分岐用具の基台に突設される幹線経路側の分岐用ガイド棒に対し、前記幹線経路を挟んで対向する側で、クリップの巻付バンドが通る位置に、分岐部の外周に巻き付けられるクリップの巻付バンドをガイドするガイド溝を有するガイド部が設けられることを特徴とする請求項１、２、３又は４記載のワイヤハーネス組立用治具。
【請求項６】
前記幹線経路側の分岐用ガイド棒間にあって、該分岐用ガイド棒よりも幹線経路から横方向外側に離間した位置の基台に、クリップの係止部を挟持する少なくとも２本の係止部支持棒が突設され、分岐用具の幹線経路側の分岐用ガイド棒でクリップにおけるクリップ本体の係止部と反対側の側部を押さえ、分岐用具の係止部支持棒でクリップの係止部を挟持することにより、クリップがその分岐用ガイド棒間に係止部が来るようにその分岐用ガイド棒の近傍における分岐用具の基台に取り外し可能に配設されることを特徴とする請求項１記載のワイヤハーネス組立用治具。
【発明の詳細な説明】
【技術分野】
【０００１】
本発明はワイヤハーネスを構成する電線群（光ファイバやチューブ類を含む。以下同じ）を布線して幹線と支線に分岐させたり、分岐部にクリップを取り付けたりする作業を行うことができるワイヤハーネス組立用治具に関するものである。
【背景技術】
【０００２】
従来、自動車の車両パネル等の支持体に配索されるワイヤハーネスは主に幹線と支線の分岐部で該支持体に固定される。そこで、ワイヤハーネスを組み立てる際、ワイヤハーネスを構成する電線群を幹線と支線に分岐させて分岐部を形成し、分岐させた幹線と支線を適宜結束、保護した後、分岐部にクリップを取り付けるためのワイヤハーネス組立用治具が提案されている。
【０００３】
この種のワイヤハーネス組立用治具として図１２、１３に示すような構成のものがある。この組立用治具は、ワイヤハーネスＷを構成する電線群を布線して幹線Ｗ１と支線Ｗ２に分岐させてＴ字形状の分岐部を形成する分岐用具１と、幹線Ｗ１と支線Ｗ２の分岐部Ｗ３でワイヤハーネスＷを支持体に固定させるために該分岐部Ｗ３に取り付けられるクリップ２と、分岐用具にクリップを取り外し可能に配設するためのクリップアタッチメント３とで構成される。
【０００４】
更に詳細に説明すると、分岐用具１は、ワイヤハーネス布線図板（図示せず）に軸棒状の脚部４により立設される基台５に三角形の各頂点に位置するように所定間隔をおいて３本の分岐形成用ガイド棒６Ａ、６Ｂ、６Ｃが突設される構成になっている。また、クリップ２は、図１３に示すように、巻付バンド９の自由端側を挿通させる挿通穴７Ａと巻付バンド９の係止体９Ａと係合する係止爪（図示せず）を有するクリップ本体７と、これに突設され、クリップ２を車両パネル等の支持体に留めるやじり状その他縦横比の異なる長形状の係止部（アンカー）８と、クリップ本体７の前記係止部８とは反対側の位置に設けられ、長手方向に凹凸部等からなる係止体９Ａが形成された可撓性の巻付バンド９とを備えて構成される。
【０００５】
更に、クリップアタッチメント３は、矩形板状の基部ブロック１０の一端側に分岐用具１の２本の分岐用ガイド棒６Ａ、６Ｂに挿入される２個の貫通穴１１がそのガイド棒６Ａ、６Ｂに見合う間隔をおいて形成され、他端側に分岐用具１によりワイヤハーネスＷにおける幹線Ｗ１と支線Ｗ２の分岐部Ｗ３に取り付けられるクリップ２を係止部挿入溝１２Ａに着脱自在に仮固定するクリップ取付ヘッド部１２が設けられる構成になっている。そして、分岐用具１の分岐用ガイド棒６Ａ、６Ｂにクリップアタッチメント３の貫通穴１１を挿入することにより、クリップ２がクリップアタッチメント３を介して分岐用具１の分岐用ガイド棒６Ａ、６Ｂに取り外し可能に配設される。
【０００６】
このような構成のワイヤハーネス組立用治具を用いて、ワイヤハーネスＷを構成する電線群を布線して幹線Ｗ１と支線Ｗ２に分岐させ、その分岐部Ｗ３にクリップ２を取り付ける場合には、先ずクリップアタッチメント３のクリップ取付ヘッド部１２に、予めクリップ２の係止部８を仮固定し、クリップアタッチメント３及び分岐用具１の上方から所定の布線経路を有するように電線群を布線し、分岐用具１の分岐用ガイド棒６Ａ、６Ｂ、６Ｃにより、幹線Ｗ１と支線Ｗ２に分岐させて分岐用具１の基台５上にＴ字形状の分岐部Ｗ３を形成する。
【０００７】
次いで、分岐させた幹線Ｗ１と支線Ｗ２を適宜結束、保護した後、クリップ取付ヘッド部１２に仮固定されたクリップ２の巻付バンド９を分岐部Ｗ３の外周に巻き付け、その自由端側をクリップ本体７の挿通穴７Ａに挿入して締め付け、係止体９Ａを係止爪と係合して巻付バンド９が緩むのを防止する。
【０００８】
次いで、分岐用具１の脚部４を下降させて基台５に突設された分岐用ガイド棒６Ａ、６Ｂをクリップアタッチメント３の貫通穴１１から抜き取り、分岐用具１とクリップアタッチメント３とを分離する。
【０００９】
次いで、クリップアタッチメント３の基部ブロック１０をクリップ取付ヘッド部１２の係止部挿入溝１２Ａの方向に沿って移動させることにより、クリップアタッチメント３をクリップ２から取り外してクリップ２と分離する。このようにして、ワイヤハーネスＷの分岐部Ｗ３にクリップ２を取り付けて、ワイヤハーネスＷを組み立てる（特許文献１参照）。
【００１０】
【特許文献１】特開平１０−２９０５１０号公報（発明の詳細な説明の項の段落番号００１５乃至００１６、図１乃至２）
【発明の開示】
【発明が解決しようとする課題】
【００１１】
しかしながら、上記ワイヤハーネス組立用治具は、分岐部Ｗ３の形成作業と分岐部Ｗ３へのクリップ２の取付作業を一つの治具で行うことができる利点があるが、分岐用具１にクリップ２をクリップアタッチメント３を介して設ける必要があるため、構造が複雑で大型になるほか、部品点数が多くなってコストが高くなる問題がある。また、この組立用治具を用いて分岐部Ｗ３にクリップ２を取り付ける場合、クリップアタッチメント３が介在するため、分岐部Ｗ３の中心付近にクリップ２を取り付けることが困難で、クリップ２の位置がずれて分岐部Ｗ３に取り付けられると、ワイヤハーネスＷを配索する際、車両パネル等の支持体に形成されたクリップ固定部にクリップ２を固定するのが容易でなく、場合によっては固定できなくなるという問題がある。
【００１２】
本発明の目的は上記課題を解決し、構造が簡単、小型で安価に得られ、ワイヤハーネスを支持体に確実に固定することができるワイヤハーネス組立用治具を提供することにある。
【課題を解決するための手段】
【００１３】
上記の目的を達成するために、本発明の請求項１に記載されたワイヤハーネス組立用治具は、ワイヤハーネスを構成する電線群を布線して幹線と支線に分岐させて分岐部を形成する分岐用具と、該分岐部に取り付けられるクリップで構成され、分岐用具は、基台に分岐形成用ガイド棒が突設され、クリップはクリップ本体と、これに突設された係止部と、巻付バンドとを備え、クリップが分岐用具の基台に取り外し可能に配設されたワイヤハーネス組立用治具において、前記分岐用具の基台上に形成される幹線が布線される幹線経路の一方の側縁部付近に、少なくとも２本の分岐用ガイド棒が幹線経路の長手方向に、且つ、その分岐用ガイド棒間に分岐部の中心が来るように所定間隔をおいて突設され、クリップがその分岐用ガイド棒間に係止部が来るようにその分岐用ガイド棒の近傍における分岐用具の基台に取り外し可能に配設されることを特徴とするものである。
【００１４】
本発明の請求項２に記載されたワイヤハーネス組立用治具は、請求項１記載のものにおいて、前記クリップのクリップ本体に、分岐用具における基台の前記幹線経路側の分岐用ガイド棒を挿入する複数個のガイド棒挿入穴が該挿入穴間に係止部が来るように形成され、分岐用具の幹線経路側の分岐用ガイド棒をクリップのガイド棒挿入穴に挿入することにより、クリップが分岐用具の基台に取り外し可能に配設されることを特徴とするものである。
【００１５】
本発明の請求項３に記載されたワイヤハーネス組立用治具は、請求項１又は２記載のものにおいて、前記分岐用具の基台に突設される前記幹線経路側の分岐用ガイド棒の中間位置に、クリップの係止部を挿脱自在に収容する凹部が設けられることを特徴とするものである。
【００１６】
本発明の請求項４に記載されたワイヤハーネス組立用治具は、請求項３記載のものにおいて、前記クリップの係止部の断面形状が略長方形状であり、これを収容する分岐用具の凹部の形状が長穴形状になっていることを特徴とするものである。
【００１７】
本発明の請求項５に記載されたワイヤハーネス組立用治具は、請求項１、２、３又は４記載のものにおいて、前記分岐用具の基台に突設される幹線経路側の分岐用ガイド棒に対し、前記幹線経路を挟んで対向する側で、クリップの巻付バンドが通る位置に、分岐部の外周に巻き付けられるクリップの巻付バンドをガイドするガイド溝を有するガイド部が設けられていることを特徴とするものである。
【００１８】
本発明の請求項６に記載されたワイヤハーネス組立用治具は、請求項１記載のものにおいて、前記幹線経路側の分岐用ガイド棒間にあって、該分岐用ガイド棒よりも幹線経路から横方向外側に離間した位置の基台に、クリップの係止部を挟持する少なくとも２本の係止部支持棒が突設され、分岐用具の幹線経路側の分岐用ガイド棒でクリップにおけるクリップ本体の係止部と反対側の側部を押さえ、分岐用具の係止部支持棒でクリップの係止部を挟持することにより、クリップがその分岐用ガイド棒間に係止部が来るようにその分岐用ガイド棒の近傍における分岐用具の基台に取り外し可能に配設されることを特徴とするものである。
【発明の効果】
【００１９】
本発明の請求項１に記載されたワイヤハーネス組立用治具によると、従来のクリップアタッチメントが不要になって、構造が簡単で小型になるほか、部品点数が少なくなってコストを安くすることができる。また、分岐部の中心付近にクリップを取り付けることが容易になって、クリップの位置ずれが生じにくくなり、ワイヤハーネスを配索する際、車両パネル等の支持体に形成されたクリップ固定部にクリップを確実に固定することができる。
【００２０】
本発明の請求項２に記載されたワイヤハーネス組立用治具によると、クリップが分岐用具の幹線経路側に突設される分岐用ガイド棒にじかに取り外し可能に配設されるので、ワイヤハーネスの分岐部にクリップを容易、且つ、迅速に取り付けることができ、ワイヤハーネスの配索作業性を向上させることができる。
【００２１】
本発明の請求項３に記載されたワイヤハーネス組立用治具によると、クリップの係止部を下向きにして、クリップを分岐用具の幹線経路側の分岐用ガイド棒に取り外し可能に配設する場合、クリップの係止部が分岐用具の基台に設けられた凹部に収容されるので、クリップが基台に対して傾くようなことがなく安定した姿勢で基台上に載置することができ、従って、ワイヤハーネスの分岐部の形成及び分岐部へのクリップの取付け作業性を更に向上させることができる。
【００２２】
本発明の請求項４に記載されたワイヤハーネス組立用治具によると、前記クリップの長形状の係止部が分岐用具の長穴形状の凹部に収容されるので、クリップが係止部を中心にして回転したり、ぐらついたりすることがなくなり、クリップの配設状態を安定させることができる。
【００２３】
本発明の請求項５に記載されたワイヤハーネス組立用治具によると、幹線と支線に分岐された分岐部にクリップを取り付ける場合、クリップの巻付バンドをガイド部で正しくガイドしながら分岐部の外周に巻き付けることが可能になるので、分岐部にクリップをより確実、且つ、迅速に取り付けることができ、クリップの取付け作業性を更に向上させることができる。
【００２４】
本発明の請求項６に記載されたワイヤハーネス組立用治具によると、分岐用具の幹線経路３２側の分岐用ガイド棒でクリップにおけるクリップ本体の側部を押さえ、分岐用具の係止部支持棒でクリップの係止部を挟持するので、分岐用具にクリップをワンタッチで迅速、確実に取り付けることが可能になり、分岐部にクリップを取り付ける際、巻付バンドを分岐部の外周に巻き付けてかたく締め付け固定することができ、クリップの取り付け作業性をより向上させることができる。
【発明を実施するための最良の形態】
【００２５】
次に、本発明の実施形態を図面により詳細に説明する。図１は本発明に係るワイヤハーネス組立用治具の第１実施形態を示す断面図、図２は第１実施形態の組立用治具において、分岐用具の幹線経路側の分岐用ガイド棒にクリップを設ける状態を部分的に拡大して示す概要図、図３は第１実施形態の組立用治具を構成する分岐用具の斜視図、図４は第１実施形態の組立用治具を構成するクリップを示すもので、（ａ）は正面図、（ｂ）は正面図、（ｂ）は右側面図、（ｃ）は左側面図、（ｄ）は下面図である。
【００２６】
第１実施形態のワイヤハーネス組立用治具は、図１に示すように、ワイヤハーネスＷを構成する電線群を布線して幹線Ｗ１と支線Ｗ２に分岐させて、例えば、十字形状の分岐部Ｗ３を形成する分岐用具２１と、分岐部Ｗ３でワイヤハーネスＷを支持体（図示せず）に固定させるために該分岐部Ｗ３に取り付けられるクリップ２３で構成される。
【００２７】
分岐用具２１は、ワイヤハーネス布線図板（図示せず）に２本の軸棒状の脚部２５により立設されるプラスチック成形により形成された角形ブロック状の基台２７と、その基台２７に所定間隔をおいて上方に突設された複数本、第１実施形態では、図３に示すように、６本の鋼等で出来た断面円形状の分岐用ガイド棒２９、３０、３１とを備える。２本の分岐用ガイド棒２９は、基台２７上に形成される幹線Ｗ１が布線される幹線経路３２の一方の側縁部３２ａ（図３参照）付近に、幹線経路３２の長手方向に、且つ、分岐用ガイド棒２９間の好ましくは中央位置に、分岐部Ｗ３の中心が来るように所定間隔をおいて突設され、幹線Ｗ１をガイドする機能を有する。また、残部の各２本の分岐用ガイド棒３０、３１は、基台２７上に形成される支線Ｗ２が布線される支線経路３３側、即ち、分岐用ガイド棒２０間の中央における幹線経路３２にそれぞれ直交する方向で、且つ、幹線経路３２を挟んで対向する位置に突設され、幹線Ｗ１から電線群の一部を各９０度反対方向に折り曲げて支線Ｗ２を形成する機能を有する。なお、第１実施形態では分岐用ガイド棒２９の本数は２本であるが、３本以上であってもよい。また、分岐用具２１を立設させる脚部２５の本数は２本であるが、１本又は３本以上でもよい。該本数が複数本あると、分岐用具２１が回転したり、捩れたり等することがなく、支持が安定するので好ましい。
【００２８】
クリップ２３はプラスチック製で、図１、４に示すように、巻付バンド３９（バンド（帯状体）、ビニールテープ等のテープ、条、リボン等の可撓性を有する巻付部材をいう。以下同じ）の自由端側を挿通させる挿通穴３６と巻付バンド３９の係止体４０と係合する係止爪３７を有するクリップ本体３５と、これに突設され、クリップ２３を車両パネル等の支持体に留めるやじり状で断面形状が図４（ｄ）に示す長円形、楕円形、長方形等の縦横比の異なる形状、即ち、略長方形状の係止部（アンカー）４１と、クリップ本体３５の前記係止部３８とは反対側に位置し、該本体３５の長手方向に直交する方向に設けられ、長手方向に凹凸部等からなる係止体４０が片面に形成された可撓性の巻付バンド３９とを備える。
【００２９】
更に詳細に説明すると、クリップ本体３５の係止爪３７は挿通穴３６内における巻付バンド３９の出口付近の係止部３８側に、内方へ突出するように設けられている。また、本実施形態の組立用治具に使用されるクリップ２３は、例えば、分岐部Ｗ３における両側の幹線Ｗ１の外周に巻付バンド３９を巻き付けることができるように、２本の巻付バンド３９を有し、これらがクリップ本体３５の長手方向に対して直交するように、且つ、巻付バンド３９同士が所定間隔をおいて並列して配置され、クリップ本体３５に設けられる。そこで、クリップ本体３５には、２個、即ち、各巻付バンド３９に対応する各位置に挿通穴３６と係止爪３７が設けられる。また、クリップ本体３５には、分岐用具２１の基台２７に突設される前記幹線経路３２側の２本の分岐用ガイド棒２９を挿入する２個のガイド棒挿入穴４１がクリップ本体３５の長手方向（巻付バンド３９の幅方向、即ち、図４（ｂ）（ｃ）の左右方向）の係止部３８を通る軸線上にあって、且つ、ガイド棒挿入穴４１間の好ましくは中央位置に係止部３８が来るように所定間隔をおいて形成される。そして、クリップ２３は後記するようにワイヤハーネスＷを構成する電線群を幹線Ｗ１と支線Ｗ２に分岐させて分岐部Ｗ３を形成した後、分岐用具２１の幹線経路３２側の分岐用ガイド棒２９を、図２に示すように、クリップ２３のガイド棒挿入穴４１に挿入することにより、クリップ２３が分岐用具２１の基台２７に取り外し可能に配設される。第１実施形態のワイヤハーネス組立用治具は以上のように構成される。
【００３０】
次に、第１実施形態のワイヤハーネス組立用治具の使用方法を説明すると、図１、３、５に示すように、ワイヤハーネスＷを構成する電線群を分岐用具の基台２７に突設された２本の分岐用ガイド棒２９でガイドしながら、幹線経路３２に沿って布線すると共に、布線される電線群の一部を各２本の分岐用ガイド棒３０、３１に引掛けてガイドしながら、支線経路３３に沿って布線することにより、幹線Ｗ１と支線Ｗ２に分岐させ、基台２７上にＴ字形状の分岐部Ｗ３を形成する。
【００３１】
次いで、幹線Ｗ１、支線Ｗ２及び分岐部Ｗ３を適宜結束、保護した後、分岐用具２１の幹線経路３２側の２本の分岐用ガイド棒２９を、係止部３８を上向きにしてクリップ２３のガイド棒挿入穴４１に挿入することにより、分岐用具２１にクリップ２３を設ける。
【００３２】
次いで、クリップ２３の２本の巻付バンド３９を分岐部Ｗ３における両幹線Ｗ１の外周に、図５に示すように、反時計方向に下方向へ掛け回して巻き付け、その自由端側を上方に位置するクリップ本体３５の挿通穴３６に挿入して挿通穴３６から図５の左方に引き出し、手動又はバンドガン（図示せず）等で巻付バンド３９を締め付け、巻付バンド３９の係止体４０を係止爪３７に係合して巻付バンド３９の緩みを防止する。そして、クリップ本体３５から余分に引き出された巻付バンド３９の不要な自由端側をカッター等で切断して除去する。このようにして、分岐部Ｗ３の幹線Ｗ１にクリップ２３を取り付ける。
【００３３】
次いで、分岐用具２１の脚部２５を下降させる等して分岐用ガイド棒２９をクリップ２３のガイド棒挿入穴４１から抜き取り、分岐用具２１とクリップ２３とを分離する。布線図板に立設された他の組立用治具についても同様な方法により、分岐部Ｗ３の幹線Ｗ１にクリップ２３を取り付けて、ワイヤハーネスＷを組み立てる。なお、上記の組立用治具の使用方法では、クリップ２３の係止部３８を上向きにして分岐用具２１の分岐用ガイド棒２９に挿入するようにしたが、クリップ２３の係止部３８を下向き（図６、８参照）にして分岐用具２１の分岐用ガイド棒２９に挿入するようにしてもよい。
【００３４】
本実施形態の組立用治具によると、クリップ２３が分岐用具２１の基台２７上に形成される幹線経路３２の一方の側縁部３２ａ付近に突設された少なくとも２本の分岐用ガイド棒２９にじかに取り外し可能に配設されるので、ワイヤハーネスＷの分岐部Ｗ３にクリップ２３を容易、且つ、迅速に取り付けることができ、ワイヤハーネスＷの配索作業性を向上させることができる。
【００３５】
図６は本発明に係るワイヤハーネス組立用治具の第２実施形態を示す断面図、図７は第２実施形態の組立用治具を構成する分岐用具の斜視図、図８は第２実施形態の組立用治具の使用方法を説明するための概要図である。
【００３６】
第２実施形態の組立用治具は、図６、７に示すように、分岐用具４３の基台２７に１個の凹部４５と２個のガイド部４７が新たに設けられている点で、第１実施形態の分岐用具２１と構成が相違する。即ち、第２実施形態の分岐用具４３はその基台２７に突設される幹線経路３２側の少なくとも２本（図示例は２本）の分岐用ガイド棒２９の中間位置、好ましくは中央位置に、クリップ２３の係止部３８を挿脱自在に収容する有底（凹溝）又は貫通する長円形（図示例）、楕円形、長方形等の長穴形状の凹部４５が設けられている。また、前記分岐用具４３の基台２７に突設される幹線経路３２側の２本の分岐用ガイド棒２９に対し、前記幹線経路３２を挟んで対向する側で、クリップ２３の巻付バンド３９が通る位置に、分岐部Ｗ３の外周に巻き付けられるクリップ２３の巻付バンド３９をガイドする外側に凸になるように弧状にわん曲するガイド溝４９を有するガイド部４７が設けられている。その他の構成は第１実施形態のものと実質上構成が同じなので詳細説明を省略する。
【００３７】
この実施形態の組立用治具を使用する場合には、図８に示すように、分岐用具４３の基台２７上に分岐部Ｗ３を形成する前に、予め分岐用具４３の幹線経路３２側の２本の分岐用ガイド棒２９を、係止部３８を下向きにしてクリップ２３のガイド棒挿入穴４１に挿入することにより、分岐用具２１にクリップ２３を設け、分岐用具４３の凹部４５にクリップ２３の係止部３８を挿入して収容する。
【００３８】
次いで、第１実施形態の組立用治具の使用方法で説明したのと同様にして、各２本の分岐用具２９、３０、３１を利用して、基台２７上にワイヤハーネスＷを構成する電線群を幹線Ｗ１と支線Ｗ２に分岐させて分岐部Ｗ３を形成する。
【００３９】
次いで、幹線Ｗ１、支線Ｗ２及び分岐部Ｗ３を適宜結束、保護した後、クリップ２３の２本の巻付バンド３９を分岐部Ｗ３における両幹線Ｗ１の外周に、図８に示すように、時計方向に上方向へ掛け回して巻き付け、その自由端側を上方から下方に下ろして、各ガイド部４７のガイド溝４９でガイドしながら約９０度方向変換させ、下方に位置するクリップ本体３５の挿通穴３６に挿入して、挿通穴３６から図８の左方に引き出し、手動又はバンドガン（図示せず）等で巻付バンド３９を締め付け、巻付バンド３９の係止体４０を係止爪３７に係合して巻付バンド３９の緩みを防止する。そして、クリップ本体３５から余分に引き出された巻付バンド３９の不要な自由端側をカッター等で切断して除去する。このようにして、分岐部Ｗ３の幹線Ｗ１にクリップ２３を取り付ける。
【００４０】
次いで、第１実施形態の組立用治具の使用方法で説明したのと同様にして、分岐用具４３とクリップ２３とを分離し、更に、布線図板に立設された他の組立用治具についても同様な方法により、分岐部Ｗ３の幹線Ｗ１にクリップ２３を取り付けて、ワイヤハーネスＷを組み立てる。なお、第２実施形態の組立用治具の分岐用具４３はその基台２７に凹部４５とガイド部４７が設けられているが、いずれか一方を省略してもよい。
【００４１】
第２実施形態の組立用治具のように、分岐用具４３の基台２７に突設される幹線経路３２側の分岐用ガイド棒２９の中間位置に、クリップ２３の係止部３８を挿脱自在に収容する凹部４５が設けられていることにより、クリップ２３の係止部３８を下向きにして、分岐用具４３の幹線経路３２側の分岐用ガイド棒２９にクリップ２３を取り外し可能に配設する場合、クリップ２３の係止部３８が分岐用具４３の基台２７に設けられた凹部４５に収容されるので、クリップ２３が基台２７に対して傾くようなことがなく安定した姿勢で基台２７上に載置することができ、従って、ワイヤハーネスＷの分岐部Ｗ３の形成及び分岐部Ｗ３へのクリップ２３の取付け作業性を更に向上させることができる。
【００４２】
また、分岐用具４３の基台２７にガイド部４７が設けられていることにより、幹線Ｗ１と支線Ｗ２に分岐された分岐部Ｗ３にクリップ２３を取り付ける場合、クリップ２３の巻付バンド３９をガイド部４７で正しくガイドしながら分岐部Ｗ３の外周に巻き付けることが可能になるので、分岐部Ｗ３にクリップ２３をより確実、且つ、迅速に取り付けることができ、クリップ２３の取付け作業性を更に向上させることができる。
【００４３】
図９は第２実施形態の組立用治具における分岐用具４３の変形例を示す分岐用具５１の斜視図である。この分岐用具５１は前記分岐用具４３から分岐用ガイド棒３１を省略した構成のものであり、他の構成は分岐用具４３と同じである。この分岐用具５１は図９に示すように、ワイヤハーネスＷを構成する電線群を布線して幹線Ｗ１と支線Ｗ２に分岐させて、基台２７上にＴ字形状の分岐部Ｗ３を形成するのに使用する。分岐用ガイド棒３１の代わりに分岐用ガイド棒３０の方を省略するようにしてもよい。Ｔ字形状の分岐部Ｗ３は前記分岐用具２１、４３を用いても形成することが可能であるが、分岐用ガイド棒３０又は分岐用ガイド棒３１が省略されるので、部品点数が減少し、構造が簡単になるので好ましい。この分岐用具５１は、凹部４５を有するが省略してもよい。また、分岐用具５１はガイド部４７を有するが、クリップ２３の巻付バンド３９の巻き付け作業に支障なければ省略してもよい。更に、分岐用ガイド棒３０又は分岐用ガイド棒３１の位置を分岐部Ｗ３の中心から幹線経路３２の長手方向に対して所定角度傾斜させて基台２７に突設させると、Ｙ字形状の分岐部Ｗ３を形成することが可能である。
【００４４】
図１０は図９における分岐用具５１の変形例を示す分岐用具５３の斜視図、図１１はこの分岐用具５３にクリップ５５を設ける状態を示す概要図である。この分岐用具５３は、図１０に示すように、幹線経路３２側の少なくとも２本（図示例は２本）の分岐用ガイド棒２９間にあって、該分岐用ガイド棒２９よりも幹線経路３２から横方向外側に離間した位置の基台２７に、クリップ５５の係止部３８を挟持する少なくとも２本（図示例は２本）の係止部支持棒５７が突設されている。また、幹線経路３２が図９に示すようなフラット面状ではなく、半円弧状に下方に凹んだ形状になっている。更に、ガイド溝４９を有する２個のガイド４７が図９に示すような分岐用ガイド棒２９に対し幹線経路３２を挟んで対向する側だけでなく、幹線経路３２、分岐用ガイド棒２９及び係止部支持棒５７の在る位置まで基台２７上に設けられている。また、分岐用具５３にクリップ５５を係止部３８が横向きになるようにして設けるため、図９に示すような凹部４５が基台２７に設けられていない。その他の構成は分岐用具５１と実質上同じである。
【００４５】
クリップ５５は、クリップ本体３５に２個のガイド棒挿入穴４１が設けられておらず、また挿通穴３６がクリップ本体３５の係止部３８とは反対側の側部付近で該側部から外方へ突き出た部位に形成されている他は、図４に示すクリップ２３と構成が実質上同じである。
【００４６】
このクリップ５５は、図１１に示すように、分岐用具５３の幹線経路３２側の２本の分岐用ガイド棒２９でクリップ５５におけるクリップ本体３５の係止部３８と反対側の側部を押さえ、分岐用具５３の２本の係止部支持棒５７でクリップ５５の係止部３８を挟持することにより、クリップ５５が分岐用ガイド棒２９間に係止部が来るようにその分岐用ガイド棒２９の近傍における基台２７に取り外し可能に配設される。
【００４７】
このように、分岐用具５３の幹線経路３２側の分岐用ガイド棒２９でクリップ５５におけるクリップ本体３５の側部を押さえ、分岐用具５３の係止部支持棒５７でクリップ５５の係止部３８を挟持するので、分岐用具５３にクリップ５５をワンタッチで迅速、確実に取り付けることが可能になり、分岐部Ｗ３にクリップ５５を取り付ける際、巻付バンド３９を分岐部Ｗ３の外周に巻き付けてかたく締め付け固定することができ、クリップ５５の取り付け作業性をより向上させることができる。
【００４８】
なお、前記実施形態は、クリップ２３のガイド棒挿入穴４１に分岐用具２１、４３、５１の幹線経路側の分岐用ガイド棒２９を挿入することにより、又は、クリップ５５の側部を分岐用具５３の幹線経路側３２側の分岐用ガイド棒２９で押え、係止部支持棒５７でクリップ５５の係止部３８を挟持することにより、クリップ２３、５５を分岐用ガイド棒２９間に係止部４１が来るように、その分岐用ガイド棒２９の近傍における基台２７に取り外し可能に配設したが、前記クリップ２３のクリップ本体３５にガイド棒挿入穴４１を設けず、分岐用具４３、５１に設けられた係止部４１を挿脱自在に収容する凹部４５に、クリップ２３の係止部４１を挿脱自在に嵌着させるだけで、クリップ２３を、前記分岐用ガイド棒２９の近傍における基台２７に取り外し可能に配設することも可能である。
【００４９】
この場合、クリップ２３の係止部４１の断面形状が略長方形状（図４（ｄ）参照）であり、これを収容する分岐用具４３、５１の凹部４５の形状が長穴形状（図７、９参照）になっていると、クリップ２３が係止部４１を中心にして回転したり、ぐらついたりすることがなくなり、クリップ２３の配設状態を安定させることができるので好ましい。なお、図示しないが、係止部４１と凹部４５の嵌合部位に凹凸部を形成したり、キーを介在させるようにしても同様な効果が得られる。また、クリップ２３のクリップ本体３５の長手方向の端部側を前記分岐用ガイド棒２９に当接させるようにすると、該分岐用ガイド棒２９がクリップ２３の回転を防止するストッパの役割りをして、クリップ２３の配設状態をより安定させることができるので好ましい。更に、前記クリップ２３、５５は巻付バンド３９がクリップ本体３５に一体に設けられる構成になっているが、クリップ本体３５と別体に構成し、分岐部Ｗ３にクリップ本体３５を取り付け、分岐部Ｗ３とクリップ本体３５の外周にビニールテープ等からなる巻付バンド３９を巻き付けて、分岐部Ｗ３にクリップ２３を巻装（巻着）するようにしてもよい。
【００５０】
本発明のワイヤハーネス組立用治具によると、前記分岐用具２１、４３、５１、５３の基台２７上に形成される幹線Ｗ１が布線される幹線経路３２の一方の側縁部３２ａ付近に、少なくとも２本の分岐用ガイド棒２９が幹線経路３２の長手方向に、且つ、その分岐用ガイド棒２９間に分岐部Ｗ３の中心が来るように所定間隔をおいて突設され、クリップ２３、５５がその分岐用ガイド棒２９間に係止部３８が来るようにその分岐用ガイド棒２９の近傍における分岐用具２１、４３、５１、５３の基台２７に取り外し可能に配設される。これにより、従来のクリップアタッチメントが不要になり、構造が簡単で小型になるほか、部品点数が少なくなってコストを安くすることができる。また、分岐部Ｗ３の中心付近にクリップ２３、５５を取り付けることが容易になって、クリップ２３、５５の位置ずれが生じにくくなり、ワイヤハーネスＷを配索する際、車両パネル等の支持体に形成されたクリップ固定部にクリップ２３、５５を確実に固定することができる。
【図面の簡単な説明】
【００５１】
【図１】本発明に係るワイヤハーネス組立用治具の第１実施形態を示す断面図である。
【図２】第１実施形態の組立用治具において、分岐用具の幹線経路側の分岐用ガイド棒にクリップを設ける状態を部分的に拡大して示す概要図である。
【図３】第１実施形態の組立用治具を構成する分岐用具の斜視図である。
【図４】第１実施形態の組立用治具を構成するクリップを示すもので、（ａ）は正面図、（ｂ）は正面図、（ｂ）は右側面図、（ｃ）は左側面図、（ｄ）は下面図である。本発明に係る電線付端子の挿入装置の第３実施形態を示す概要図である。
【図５】第１実施形態の組立用治具の使用方法を説明するための概要図である。
【図６】本発明に係るワイヤハーネス組立用治具の第２実施形態を示す断面図である。
【図７】第２実施形態の組立用治具を構成する分岐用具の斜視図である。
【図８】第２実施形態の組立用治具の使用方法を説明するための概要図である。
【図９】第２実施形態の組立用治具における分岐用具の変形例を示す斜視図である。
【図１０】図９における分岐用具の変形例を示す斜視図である。
【図１１】図１０の分岐用具にクリップを設ける状態を示す概要図である。
【図１２】従来のワイヤハーネス組立用治具を示すもので、（Ａ）は分岐用具の分岐用ガイド棒にクリップアタッチメントを装着する状態を示す図、（Ｂ）はこの組立用治具を用いて、分岐部の形成及びクリップの取付状態を示す図である。
【図１３】図１２の組立用治具において、クリップの構成を説明する図である
【符号の説明】
【００５２】
２１    分岐用具
２３    クリップ
２５    脚部
２７    基台
２９    分岐用ガイド棒
３０    分岐用ガイド棒
３１    分岐用ガイド棒
３２    幹線経路
３２ａ  側縁部
３３    支線経路
３５    クリップ本体
３６    挿通穴
３７    係止爪
３８    係止部
３９    巻付バンド
４０    係止体
４１    ガイド棒挿入穴
４３    分岐用具
４５    凹部
４７    ガイド部
４９    ガイド溝
５１    分岐用具
５３    分岐用具
５５    クリップ
５７    係止部支持棒
Ｗ１    幹線
Ｗ２    支線
Ｗ      分岐部
【図１】
2005276738.tif 000003
【図２】
2005276738.tif 000004
【図３】
2005276738.tif 000005
【図４】
2005276738.tif 000006
【図５】
2005276738.tif 000007
【図６】
2005276738.tif 000008
【図７】
2005276738.tif 000009
【図８】
2005276738.tif 000010
【図９】
2005276738.tif 000011
【図１０】
2005276738.tif 000012
【図１１】
2005276738.tif 000013
【図１２】
2005276738.tif 000014
【図１３】
2005276738.tif 000015